(57)【要約】【課題】トイレ装置における乾燥手段のシャッターの開度を簡単で省スペースな構成で広げることによって、局部乾燥時の乾燥性能を向上させることを目的とする。【解決手段】乾燥手段１４の吹出口１８に、吹出口１８を覆う大きさで、吹出口１８上方に回動自在に保持されたシャッター２０と、吹出口１８の下部１８ａから上方へ向けて配設したリブ状の舌部２１を設けることにより、舌部２１で温風吹出方向を上向きにし、前記シャッター２０の開度を広げることによって乾燥性能を向上させることができる。また、舌部２１は、吹出口１８の下部１８ａにリブを突設させただけの構成のため省スペースとすることができる。【選択図】図３
2005139619.tif 000002
【特許請求の範囲】
【請求項１】
便器上に設けた本体と、前記本体内には、人体の局部を洗浄する洗浄手段と、前記局部を温風により乾かす加熱手段と乾燥用送風機を有する乾燥手段とを備え、前記乾燥手段の吹出口には、吹出口を覆う大きさで、吹出口上方に回動自在に保持されたシャッターと、前記吹出口の下部から上方へ向けて配設したリブ状の舌部を設けたトイレ装置。
【請求項２】
舌部は、吹出口から着脱可能としてなる請求項１に記載のトイレ装置。
【請求項３】
舌部は、吹出口下部に回動自在に保持され角度調節可能としてなる請求項１に記載のトイレ装置。
【請求項４】
舌部は、吹出口の側壁との間に隙間を設けてなる請求項１〜３のいずれか１項に記載のトイレ装置。
【請求項５】
舌部とシャッターとの接触部の少なくとも一方にリブを突設した請求項１〜４のいずれか１項に記載のトイレ装置。
【発明の詳細な説明】
【技術分野】
【０００１】
本発明は、用便後の人体の局部を温水で洗う洗浄手段と、洗浄した前記局部を温風で乾かす乾燥手段とを備えたトイレ装置に関する。
【背景技術】
【０００２】
従来、この種のトイレ装置としては、例えば、人体の局部を洗浄する洗浄手段と、前記局部を温風により乾かす加熱手段と乾燥用送風機を有する乾燥手段とを備え、前記乾燥手段の吹出口には、前記吹出口を覆う大きさで、前記吹き出口上方に回動自在に保持されたシャッターを備えているものがあった（例えば、特許文献１参照）。
【０００３】
これは、図６、図７に示すように、乾燥手段１の吹出口２には、吹出口２を覆うように、シャッター３が回動軸４を中心に回動自在に設けられており、局部洗浄後の局部乾燥時、乾燥手段１を作動させると、加熱手段５と乾燥用送風機６が作動し、その風圧によってシャッター３が回動軸４を中心に開き、温風が局部へ向かって吹き付けられていた。
【特許文献１】特開昭６４−９０３３２号公報
【発明の開示】
【発明が解決しようとする課題】
【０００４】
しかしながら、前記従来の構成では、吹出口２からの吹出方向だけの風圧によってシャッター３が開くため、シャッター３の開きが小さく、風向が下を向き、風量も少なくなって、局部に温風が当たらなかったり、風向を上向きにするために、乾燥風洞７を吹出口２の直前で上向きに曲げるためにスペース７ａを必要とし本体８が大きくなったり、スペース７ａが便器９と干渉する問題があった。
【０００５】
本発明は、前記従来の課題を解決するもので、シャッターの開度を簡単で省スペースな構成で広げることによって、局部乾燥時の乾燥性能を向上させたトイレ装置の提供を目的とする。
【課題を解決するための手段】
【０００６】
前記従来の課題を解決するために、本発明のトイレ装置は、乾燥手段の吹出口に、吹出口を覆う大きさで、吹き出口上方に回動自在に保持されたシャッターと、前記吹出口の下部から上方へ向けて配設したリブ状の舌部を設けるものである。
【０００７】
これにより、舌部が温風吹出方向を上向きにし、シャッターの開度を簡単で省スペースな構成で広げることによって、局部乾燥時の乾燥性能を向上させるものである。
【発明の効果】
【０００８】
本発明のトイレ装置は、シャッターの開度を簡単で省スペースな構成で広げることによって、局部乾燥時の乾燥性能を向上させることができる。
【発明を実施するための最良の形態】
【０００９】
第１の発明は、便器上に設けた本体と、前記本体内には、人体の局部を洗浄する洗浄手段と、前記局部を温風により乾かす加熱手段と乾燥用送風機を有する乾燥手段とを備え、前記乾燥手段の吹出口には、吹出口を覆う大きさで、吹出口上方に回動自在に保持されたシャッターと、前記吹出口の下部から上方へ向けて配設したリブ状の舌部を設けたトイレ装置とすることにより、舌部が温風吹出方向を上向きにし、シャッターの開度を簡単で省スペースな構成で広げることによって、局部乾燥時の乾燥性能を向上させることができる。
【００１０】
第２の発明は、特に、第１の発明における舌部は、吹出口から着脱可能としてなることによって、舌部の高さを変えることができ、温風の吹出方向を可変できるので、体格による局部の位置の変化に対応でき、さらに乾燥性能を向上させることができる。
【００１１】
第３の発明は、特に、第１の発明における舌部は、吹出口下部に回動自在に保持され角度調節可能としてなることによって、舌部の角度を調節することができ、温風の吹出方向を可変できるので、体格による局部の位置の変化に対応でき、さらに乾燥性能を向上させることができる。
【００１２】
第４の発明は、特に、第１〜第３のいずれか１つの発明における舌部は、吹出口の側壁との間に隙間を設けてなることにより、尿や水が舌部の内側に溜まることを防止することができる。
【００１３】
第５の発明は、特に、第１〜第４のいずれか１つの発明における舌部とシャッターとの接触部の少なくとも一方にリブを突設したことにより、舌部とシャッターの間に尿や水が付着し、舌部とシャッターが固着してしまうことを防止できる。
【００１４】
以下、本発明の実施の形態について、図面を参照しながら説明する。なお、この実施の形態によって本発明が限定されるものではない。
【００１５】
（実施の形態１）
図１〜図３は、本発明の実施の形態１におけるトイレ装置を示すものである。
【００１６】
本実施の形態においては、トイレ装置の本体１１は、便器１２の後部上面に横長に設けられ、本体１１は、用便後などに人体の局部を温水で洗う洗浄手段１３と、洗浄後に局部を温風で乾燥する乾燥手段１４を内装している。この乾燥手段１４の乾燥風洞１５内には、乾燥ヒータ１６と乾燥用送風機１７が設けられている。また、乾燥手段１４の吹出口１８の上方にシャッター用回動軸受け１９が設けられており、このシャッター用回動軸受け１９を回動中心にシャッター２０が回動自在に設けられている。一方、吹出口１８の下部１８ａには、リブ状の舌部２１が吹出口１８の側壁１８ｂとの間に隙間２２を設けて突設されている。また舌部２１の前面２１ａには、リブ２３が突設されている。
【００１７】
以上のように構成された本実施の形態では、乾燥用送風機１７で送り込まれた風が乾燥ヒータ１６で加熱され、吹出口１８の舌部２１で温風吹出方向を上向きに変えられ、その風圧でシャッター２０の開度を広げることによって乾燥性能を向上させることができる。
【００１８】
また、本実施の形態では、吹出口１８の下部１８ａに、舌部２１を突設させるだけなので、省スペースで、温風吹出方向を上向きに変えことができる。
【００１９】
さらに、本実施の形態では、舌部２１と吹出口１８の側壁１８ｂとの間に隙間２２を設けているので、尿や水が舌部２１の内側に溜まることを防止することができる。
【００２０】
また、本実施の形態では、舌部２１の前面２１ａには、リブ２３が突設されているので、舌部２１とシャッター２０の間に尿や水が付着し、舌部２１とシャッター２０が固着してしまうことを防止できる。なお、リブ２３は、舌部２１とシャッター２０との接触部の少なくとも一方に突設してあれば事足りるものである。
【００２１】
（実施の形態２）
図４は、本発明の実施の形態２におけるトイレ装置を示すものである。実施の形態１と同一要素については、同一符号を付して説明を省略する。
【００２２】
本実施の形態においては、舌部２１は、吹出口１８の下部１８ａに着脱可能に篏合されているものである。そして、図に示すように、舌部２１は舌部高さ２１ｂの異なるものが複数準備されていて、適宜取り替えることができるものである。
【００２３】
以上のように構成された本実施の形態では、舌部高さ２１ｂの異なる舌部２１をいくつか準備し、舌部２１を取り替えることによって、温風の吹出方向を可変することができるので、体格による局部の位置の変化に対応でき、さらに乾燥性能を向上させることができるものである。
【００２４】
（実施の形態３）
図５は、本発明の実施の形態３におけるトイレ装置を示すものである。実施の形態１と同一要素については、同一符号を付して説明を省略する。
【００２５】
本実施の形態においては、舌部２１は、吹出口１８の下部１８ａに設けられた舌部用回動軸受け２４を中心に角度調節可能なように回動自在に取付けられているものである。
【００２６】
以上のように構成された本実施の形態では、舌部２１の角度を変えることによって、温風の吹出方向を可変できるので、体格による局部の位置の変化に対応でき、さらに乾燥性能を向上させることができる。
【産業上の利用可能性】
【００２７】
以上のように、本発明にかかるトイレ装置は、シャッターの開度を簡単で省スペースな構成で広げることによって、局部乾燥時の乾燥性能を向上させることができ、人体の局部を洗浄、乾燥する衛生洗浄装置等として有用である。
【図面の簡単な説明】
【００２８】
【図１】本発明の実施の形態１におけるトイレ装置を便器にセットした状態の斜視図
【図２】同トイレ装置の乾燥手段における吹出口付近の斜視図
【図３】図１のＡ−Ａ線による断面図
【図４】本発明の実施の形態２におけるトイレ装置の断面図
【図５】本発明の実施の形態３におけるトイレ装置の断面図
【図６】従来のトイレ装置を便器にセットした状態の斜視図
【図７】図６のＡ−Ａ線による断面図
【符号の説明】
【００２９】
１１  本体
１２  便器
１３  洗浄手段
１４  乾燥手段
１６  乾燥ヒータ（加熱手段）
１７  乾燥送風機
１８  吹出口
１８ａ  下部
１８ｂ  側壁
２０  シャッター
２１  舌部
２２  隙間
２３  リブ
【図１】
2005139619.tif 000003
【図２】
2005139619.tif 000004
【図３】
2005139619.tif 000005
【図４】
2005139619.tif 000006
【図５】
2005139619.tif 000007
【図６】
2005139619.tif 000008
【図７】
2005139619.tif 000009